【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
所定の指示体による入力面のタッチ位置を検出する位置検出手段と、
前記入力面上の前記タッチ位置の線状の軌跡が前記入力面に設定される特定領域内から開始されるか否かにより、前記タッチ位置の線状の軌跡を、所定のディスプレイに表示されている画像に対する第１の操作及び前記第１の操作とは異なる第２の操作のいずれかとして受け付ける受付手段と、
前記指示体による操作状況及び前記画像の表示状態の少なくとも一方に基づいて前記特定領域を決定する領域決定手段と、を備えることを特徴する、
情報処理装置。
【請求項２】
前記受付手段は、前記入力面上の前記タッチ位置の線状の軌跡が前記特定領域外から開始される場合に当該軌跡を前記第１の操作として受け付け、前記入力面上の前記タッチ位置の線状の軌跡が前記特定領域内から開始されている場合に当該軌跡を前記第２の操作として受け付けることを特徴とする、
請求項１記載の情報処理装置。
【請求項３】
前記受付手段は、前記タッチ位置の前記軌跡が所定の距離以上伸びる場合に、前記タッチ位置の前記軌跡を、前記第１の操作及び前記第２の操作のいずれかとして受け付けることを特徴とする、
請求項１又は２記載の情報処理装置。
【請求項４】
前記位置検出手段から所定の時間間隔で取得する前記タッチ位置及びタッチ位置の検出時刻に基づいて、前記操作状況を表す操作状況情報を取得する操作状況取得手段、及び前記ディスプレイに表示される前記画像の前記表示状態を表す表示状態情報を取得する表示状態取得手段の少なくとも一方を備え、
前記領域決定手段は、前記操作状況情報及び前記表示状態情報の少なくとも一方に基づいて前記特定領域を決定することを特徴とする、
請求項１〜３のいずれか１項記載の情報処理装置。
【請求項５】
前記操作状況取得手段は、前記指示体による操作が完了してからの時間及び前記指示体による操作が行われていない時間の少なくとも一方を前記操作状況情報として取得することを特徴とする、
請求項４記載の情報処理装置。
【請求項６】
前記表示状態取得手段は、前記所定のディスプレイに表示される画像が遷移して新しい画像が表示されてからの時間及び表示された画像に含まれるコンテンツの情報量の少なくとも一方を前記表示状態情報として取得することを特徴とする、
請求項４記載の情報処理装置。
【請求項７】
前記入力面は、前記所定のディスプレイの表示面の少なくとも一部であって、前記領域決定手段は、前記特定領域の位置を前記所定のディスプレイの表示面の端部に決定し、
前記受付手段は、前記入力面上の前記タッチ位置の線状の軌跡が、前記特定領域内から開始されて前記入力面の内側方向に伸びる場合に、前記タッチ位置の前記軌跡を前記第２の操作として受け付けることを特徴とする、
請求項１〜６のいずれか１項記載の情報処理装置。
【請求項８】
前記領域決定手段は、前記操作状況及び前記表示状態のそれぞれに優先順位を設定し、優先順位に応じて前記特定領域を決定することを特徴とする、
請求項１〜７のいずれか１項記載の情報処理装置。
【請求項９】
前記領域決定手段は、前記操作状況及び前記表示状態のそれぞれに重み付けを行い、重み付けに応じて前記特定領域を決定することを特徴とする、
請求項１〜７のいずれか１項記載の情報処理装置。
【請求項１０】
前記第１の操作は、前記所定のディスプレイに表示されている画像をスクロールさせる操作であることを特徴とする、
請求項１〜９のいずれか１項記載の情報処理装置。
【請求項１１】
前記第２の操作は、前記所定のディスプレイに表示されている画像を異なる画像に変更させる操作であることを特徴とする、
請求項１〜１０のいずれか１項記載の情報処理装置。
【請求項１２】
前記第２の操作は、前記所定のディスプレイに表示されている画像を以前に表示されていた画像に戻す操作であることを特徴とする、
請求項１〜１０のいずれか１項記載の情報処理装置。
【請求項１３】
前記領域決定手段は、前記画像のスクロールが行われてからの経過時間が所定の閾値時間より大きい場合、前記特定領域を予め定義された基準領域に決定し、前記経過時間が前記閾値時間以内である場合、前記特定領域を前記基準領域とは異なる領域に決定することを特徴とする、
請求項１〜１２のいずれか１項記載の情報処理装置。
【請求項１４】
前記領域決定手段は、前記経過時間が前記閾値時間以内である場合、前記特定領域を前記基準領域より小さくすることを特徴とする、
請求項１３記載の情報処理装置。
【請求項１５】
前記領域決定手段は、前記経過時間が前記閾値時間以内である場合、前記特定領域の形状を前記基準領域と異ならせることを特徴とする、
請求項１３記載の情報処理装置。
【請求項１６】
前記領域決定手段は、前記画像のスクロールが完了してからの経過時間に応じて前記特定領域を動的に変形するものであって、前記画像のスクロールが行われてからの経過時間が短いほど小さい前記特定領域を設定することを特徴とする、
請求項１〜１２のいずれか１項記載の情報処理装置。
【請求項１７】
前記領域決定手段は、前記所定のディスプレイに表示される画像が遷移してからの経過時間が所定の閾値時間より大きい場合、前記特定領域を予め定義された基準領域に決定し、前記経過時間が前記閾値時間以内である場合、前記特定領域を前記基準領域より大きい領域に決定することを特徴とする、
請求項１〜１２のいずれか１項記載の情報処理装置。
【請求項１８】
前記領域決定手段は、前記所定のディスプレイに表示されている画像をスクロールすることが可能な量の大きさに基づいて、前記特定領域の大きさを異ならせることを特徴とする、
請求項１〜１２のいずれか１項記載の情報処理装置。
【請求項１９】
前記領域決定手段は、前記所定のディスプレイに表示されている画像をスクロールすることが可能な量が少ないほど、前記特定領域を大きくすることを特徴とする、
請求項１８記載の情報処理装置。
【請求項２０】
前記領域決定手段は、前記入力面に対する操作が最後に行われてからの経過時間と、前記画像に含まれるコンテンツをユーザが把握するために必要とされる時間との比較に基づいて、前記特定領域の大きさを異ならせることを特徴とする、
請求項１〜１２のいずれか１項記載の情報処理装置。
【請求項２１】
前記領域決定手段は、前記入力面に対する操作が最後に行われてからの経過時間が、前記画像に含まれるコンテンツをユーザが把握するために必要とされる時間より小さい場合、前記特定領域を予め定義された基準領域に決定し、前記経過時間が前記画像に含まれるコンテンツをユーザが把握するために必要とされる時間以上の場合、前記特定領域を前記基準領域よりも小さい領域に決定することを特徴とする、
請求項２０記載の情報処理装置。
【請求項２２】
所定の指示体による入力面のタッチ位置を検出する位置検出手段を備えた情報処理装置により実行される方法であって、
前記指示体による操作状況及び前記画像の表示状態の少なくとも一方に基づいて、前記入力面に特定領域を決定し、
前記入力面上の前記タッチ位置の線状の軌跡が前記特定領域内から開始されるか否かにより、前記タッチ位置の線状の軌跡を、所定のディスプレイに表示されている画像に対する第１の操作及び前記第１の操作とは異なる第２の操作のいずれかとして受け付けることを特徴する、
操作判定方法。
【請求項２３】
所定の指示体による入力面のタッチ位置を検出する位置検出手段を備えたコンピュータを、
前記入力面上の前記タッチ位置の線状の軌跡が前記入力面に設定される特定領域内から開始されるか否かにより、前記タッチ位置の線状の軌跡を、所定のディスプレイに表示されている画像に対する第１の操作及び前記第１の操作とは異なる第２の操作のいずれかとして受け付ける受付手段、
前記指示体による操作状況及び前記画像の表示状態の少なくとも一方に基づいて前記特定領域を決定する領域決定手段、
として機能させるためのコンピュータプログラム。
【請求項２４】
請求項２３記載のコンピュータプログラムを記憶するコンピュータにより読み取り可能な記憶媒体。
【手続補正２】
【補正対象書類名】明細書
【補正対象項目名】０００７
【補正方法】変更
【補正の内容】
【０００７】
本発明の情報処理装置は、所定の指示体による入力面のタッチ位置を検出する位置検出手段と、前記入力面上の前記タッチ位置の線状の軌跡が前記入力面に設定される特定領域内から開始されるか否かにより、前記タッチ位置の線状の軌跡を、所定のディスプレイに表示されている画像に対する第１の操作及び前記第１の操作とは異なる第２の操作のいずれかとして受け付ける受付手段と、前記指示体による操作状況及び前記画像の表示状態の少なくとも一方に基づいて前記特定領域を決定する領域決定手段と、を備えることを特徴する。